(57)【特許請求の範囲】
【請求項１】
トナーを収容し、トナーを用いて現像動作を行なう現像器と、
前記トナーを用いてプリントを実行するプリント実行手段と、
前記トナーを用いて画像安定化処理を実行する画像安定化処理実行手段と、
前記現像器内の、現像動作量に対して消費すべき基準トナー量と、実際に消費したトナー量との差分である滞留トナー量を取得する取得手段と、
プリント終了後に、前記取得手段が取得した滞留トナー量と第１の基準とを用いてトナー排出処理を行ない、画像安定化処理終了後に、前記取得手段が取得した滞留トナー量と第２の基準とを用いてトナー排出処理を行なうトナー排出手段とを備えた、画像形成装置。
【請求項２】
前記取得手段は、前記現像動作量としての現像ローラの駆動量と、プリントジョブのトナー消費に関する情報とを取得することで、前記現像器内の滞留トナー量を取得する、請求項１に記載の画像形成装置。
【請求項３】
前記トナー排出手段は、プリント終了時には、前記取得手段の取得した現像器内の滞留トナー量が前記第１の基準であるしきい値を超えているかを判断することでトナー排出処理を行ない、画像安定化処理終了時には、前記取得手段の取得した現像器内の滞留トナー量が前記第２の基準であるしきい値を超えているかを判断することでトナー排出処理を行なう、請求項１または２に記載の画像形成装置。
【請求項４】
前記取得手段は、前記現像動作量としての現像ローラの駆動量に対して消費すべき基準トナー量と、実際に消費したトナー量との差を求め、消費すべき基準トナー量に満たない量を滞留トナー量として取得する、請求項１から３のいずれかに記載の画像形成装置。
【請求項５】
プリントジョブを実行する前に、そのプリントジョブによって消費されるトナーの量を判定する判定手段と、
前記取得手段で取得した現像器内の滞留トナー量と前記判定手段の判定結果とに基づいて、前記プリントジョブの実行を保留する保留手段とをさらに備えた、請求項１から４のいずれかに記載の画像形成装置。
【請求項６】
複数のプリントジョブが登録されている場合において、前記取得手段の取得した現像器内の滞留トナー量、及び、前記複数のプリントジョブのうち、プリント予定実行順位が第一位の候補ジョブによって消費されるトナー量に基づいて、当該候補ジョブのプリントが実行されることによって、現像器内の滞留トナー量が０以下になる場合には、前記複数のプリントジョブの中から、前記候補ジョブよりも消費されるトナー量の少ないプリントジョブを前記候補ジョブよりも優先的に実行するようにジョブの実行順序を制御する制御手段をさらに備えた、請求項５に記載の画像形成装置。
【請求項７】
複数のプリントジョブが登録されている場合において、前記取得手段の取得した現像器内の滞留トナー量、及び、前記複数のプリントジョブのうち、プリント予定実行順位が第一位の候補ジョブによって消費されるトナー量に基づいて、当該候補ジョブのプリントが実行されることによって、現像器内の滞留トナー量が前記第１の基準であるしきい値を超える場合には、前記複数のプリントジョブの中から、前記候補ジョブよりも消費されるトナー量の多いプリントジョブを前記候補ジョブよりも優先的に実行するようにジョブの実行順序を制御する制御手段をさらに備えた、請求項５または６に記載の画像形成装置。
【請求項８】
前記現像器は、複数色のそれぞれに対応するトナーを収容した複数の現像器を含み、
前記複数の現像器のそれぞれにおいて現像器内の滞留トナーの量を管理する、請求項１から７のいずれかに記載の画像形成装置。
【請求項９】
前記トナー排出手段によって、現像器内の滞留トナー量が第１の基準または第２の基準であるしきい値を超えたと判断された場合に、後続のプリントジョブのトナー消費量を判定する後続ジョブ判定手段と、
前記後続ジョブ判定手段の判定結果に基づいて、前記トナー排出手段でのトナー排出を保留する排出保留手段とをさらに備えた、請求項１から８のいずれかに記載の画像形成装置。
【請求項１０】
トナーを収容し、トナーを用いて現像動作を行なう現像器を備えた画像形成装置の制御方法であって、
前記トナーを用いてプリントを実行するプリント実行ステップと、
前記トナーを用いて画像安定化処理を実行する画像安定化処理実行ステップと、
前記現像器内の、現像動作量に対して消費すべき基準トナー量と、実際に消費したトナー量との差分である滞留トナー量を取得する取得ステップと、
プリント終了後に、前記取得ステップで取得した滞留トナー量と第１の基準とを用いてトナー排出処理を行ない、画像安定化処理終了後に、前記取得ステップで取得した滞留トナー量と第２の基準とを用いてトナー排出処理を行なうトナー排出ステップとを備えた、画像形成装置の制御方法。
【請求項１１】
前記取得ステップでは、前記現像動作量としての現像ローラの駆動量と、プリントジョブのトナー消費に関する情報とを取得することで、前記現像器内の滞留トナー量を取得する、請求項１０に記載の画像形成装置の制御方法。
【請求項１２】
前記トナー排出ステップでは、プリント終了時には、前記取得ステップで取得した現像器内の滞留トナー量が前記第１の基準であるしきい値を超えているかを判断することでトナー排出処理を行ない、画像安定化処理終了時には、前記取得ステップで取得した現像器内の滞留トナー量が前記第２の基準であるしきい値を超えているかを判断することでトナー排出処理を行なう、請求項１０または１１に記載の画像形成装置の制御方法。
【請求項１３】
前記取得ステップでは、前記現像動作量としての現像ローラの駆動量に対して消費すべき基準トナー量と、実際に消費したトナー量との差を求め、消費すべき基準トナー量に満たない量を滞留トナー量として取得する、請求項１０から１２のいずれかに記載の画像形成装置の制御方法。
【請求項１４】
プリントジョブを実行する前に、そのプリントジョブによって消費されるトナーの量を判定する判定ステップと、
前記取得ステップで取得した現像器内の滞留トナー量と前記判定ステップの判定結果とに基づいて、前記プリントジョブの実行を保留する保留ステップとをさらに備えた、請求項１０から１３のいずれかに記載の画像形成装置の制御方法。
【請求項１５】
複数のプリントジョブが登録されている場合において、前記取得ステップで取得した現像器内の滞留トナー量、及び、前記複数のプリントジョブのうち、プリント予定実行順位が第一位の候補ジョブによって消費されるトナー量に基づいて、当該候補ジョブのプリントが実行されることによって、現像器内の滞留トナー量が０以下になる場合には、前記複数のプリントジョブの中から、前記候補ジョブよりも消費されるトナー量の少ないプリントジョブを前記候補ジョブよりも優先的に実行するようにジョブの実行順序を制御する制御ステップをさらに備えた、請求項１４に記載の画像形成装置の制御方法。
【請求項１６】
複数のプリントジョブが登録されている場合において、前記取得ステップで取得した現像器内の滞留トナー量、及び、前記複数のプリントジョブのうち、プリント予定実行順位が第一位の候補ジョブによって消費されるトナー量に基づいて、当該候補ジョブのプリントが実行されることによって、現像器内の滞留トナー量が前記第１の基準であるしきい値を超える場合には、前記複数のプリントジョブの中から、前記候補ジョブよりも消費されるトナー量の多いプリントジョブを前記候補ジョブよりも優先的に実行するようにジョブの実行順序を制御する制御ステップをさらに備えた、請求項１４または１５に記載の画像形成装置の制御方法。
【請求項１７】
前記現像器は、複数色のそれぞれに対応するトナーを収容した複数の現像器を含み、
前記複数の現像器のそれぞれにおいて現像器内の滞留トナーの量を管理する、請求項１０から１６のいずれかに記載の画像形成装置の制御方法。
【請求項１８】
前記トナー排出ステップによって、現像器内の滞留トナー量が第１の基準または第２の基準であるしきい値を超えたと判断された場合に、後続のプリントジョブのトナー消費量を判定する後続ジョブ判定ステップと、
前記後続ジョブ判定ステップの判定結果に基づいて、前記トナー排出ステップでのトナー排出を保留する排出保留ステップとをさらに備えた、請求項１０から１７のいずれかに記載の画像形成装置の制御方法。
【請求項１９】
トナーを収容し、トナーを用いて現像動作を行なう現像器を備えた画像形成装置の制御プログラムであって、
前記トナーを用いてプリントを実行するプリント実行ステップと、
前記トナーを用いて画像安定化処理を実行する画像安定化処理実行ステップと、
前記現像器内の、現像動作量に対して消費すべき基準トナー量と、実際に消費したトナー量との差分である滞留トナー量を取得する取得ステップと、
プリント終了後に、前記取得ステップで取得した滞留トナー量と第１の基準とを用いてトナー排出処理を行ない、画像安定化処理終了後に、前記取得ステップで取得した滞留トナー量と第２の基準とを用いてトナー排出処理を行なうトナー排出ステップとをコンピュータに実行させる、画像形成装置の制御プログラム。
【請求項２０】
前記取得ステップでは、前記現像動作量としての現像ローラの駆動量と、プリントジョブのトナー消費に関する情報とを取得することで、前記現像器内の滞留トナー量を取得する、請求項１９に記載の画像形成装置の制御プログラム。
【請求項２１】
前記トナー排出ステップでは、プリント終了時には、前記取得ステップで取得した現像器内の滞留トナー量が前記第１の基準であるしきい値を超えているかを判断することでトナー排出処理を行ない、画像安定化処理終了時には、前記取得ステップで取得した現像器内の滞留トナー量が前記第２の基準であるしきい値を超えているかを判断することでトナー排出処理を行なう、請求項１９または２０に記載の画像形成装置の制御プログラム。
【請求項２２】
前記取得ステップでは、前記現像動作量としての現像ローラの駆動量に対して消費すべき基準トナー量と、実際に消費したトナー量との差を求め、消費すべき基準トナー量に満たない量を滞留トナー量として取得する、請求項１９から２１のいずれかに記載の画像形成装置の制御プログラム。
【請求項２３】
プリントジョブを実行する前に、そのプリントジョブによって消費されるトナーの量を判定する判定ステップと、
前記取得ステップで取得した現像器内の滞留トナー量と前記判定ステップの判定結果とに基づいて、前記プリントジョブの実行を保留する保留ステップとをさらにコンピュータに実行させる、請求項１９から２２のいずれかに記載の画像形成装置の制御プログラム。
【請求項２４】
複数のプリントジョブが登録されている場合において、前記取得ステップで取得した現像器内の滞留トナー量、及び、前記複数のプリントジョブのうち、プリント予定実行順位が第一位の候補ジョブによって消費されるトナー量に基づいて、当該候補ジョブのプリントが実行されることによって、現像器内の滞留トナー量が０以下になる場合には、前記複数のプリントジョブの中から、前記候補ジョブよりも消費されるトナー量の少ないプリントジョブを前記候補ジョブよりも優先的に実行するようにジョブの実行順序を制御する制御ステップをさらにコンピュータに実行させる、請求項２３に記載の画像形成装置の制御プログラム。
【請求項２５】
複数のプリントジョブが登録されている場合において、前記取得ステップで取得した現像器内の滞留トナー量、及び、前記複数のプリントジョブのうち、プリント予定実行順位が第一位の候補ジョブによって消費されるトナー量に基づいて、当該候補ジョブのプリントが実行されることによって、現像器内の滞留トナー量が前記第１の基準であるしきい値を超える場合には、前記複数のプリントジョブの中から、前記候補ジョブよりも消費されるトナー量の多いプリントジョブを前記候補ジョブよりも優先的に実行するようにジョブの実行順序を制御する制御ステップをさらにコンピュータに実行させる、請求項２３または２４に記載の画像形成装置の制御プログラム。
【請求項２６】
前記現像器は、複数色のそれぞれに対応するトナーを収容した複数の現像器を含み、
前記複数の現像器のそれぞれにおいて現像器内の滞留トナーの量を管理する、請求項１９から２５のいずれかに記載の画像形成装置の制御プログラム。
【請求項２７】
前記トナー排出ステップによって、現像器内の滞留トナー量が第１の基準または第２の基準であるしきい値を超えたと判断された場合に、後続のプリントジョブのトナー消費量を判定する後続ジョブ判定ステップと、
前記後続ジョブ判定ステップの判定結果に基づいて、前記トナー排出ステップでのトナー排出を保留する排出保留ステップとをさらにコンピュータに実行させる、請求項１９から２６のいずれかに記載の画像形成装置の制御プログラム。
【発明の詳細な説明】
【技術分野】
【０００１】
この発明は、画像形成装置、画像形成装置の制御方法、および画像形成装置の制御プログラムに関し、特に、滞留トナーの排出を行なう画像形成装置、画像形成装置の制御方法、および画像形成装置の制御プログラムに関する。
【背景技術】
【０００２】
電子写真式の画像形成装置（ＭＦＰ（Ｍｕｌｔｉ  Ｆｕｎｃｔｉｏｎ  Ｐｅｒｉｐｈｅｒａｌ）、ファクシミリ装置、複写機、プリンタなど）には、トナーにより現像を行なう現像器が設けられている。
【０００３】
下記特許文献１には、トナーの劣化による画像品質の低下を抑制するために、現像ローラの回転数と、感光体ドラム上に作像された画像のドット数とをカウントする画像形成装置が開示されている。予め決められた現像ローラの回転数における画像のドット数が所定のしきい値より小さい場合には、現像剤を現像する（滞留トナーを吐出す）処理を実行するものである。
【特許文献１】特開２００４−１２５８２９号公報
【発明の開示】
【発明が解決しようとする課題】
【０００４】
滞留トナーが所定量を超えた時点で滞留トナーの排出を行なう画像形成装置においては、無駄にトナーを消費してしまう場合があるという問題があった。その理由は、以下のとおりである。
【０００５】
滞留トナーが所定量を超えた時点の直後にプリントされる画像のドットカウント値が高い場合（トナーの消費量が多い画像である場合）、その画像をプリントすることで滞留トナー量が所定値以下となる可能性がある。しかしながらこのような場合でも、従来の画像形成装置では、滞留トナーが所定量を超えた時点で滞留トナーを排出してしまうことで、吐出す必要のない滞留トナーを無駄に吐出させてしまうことがある。
【０００６】
また画像形成装置では、画像を適正な状態に保つために画像安定化が実行される。これは、現像器を用いてパターンを印字し、それを検出することで画像の位置合わせや濃度調整を行なうものである。
【０００７】
画像安定化を行なうことで、滞留トナー量は増加する。電源ＯＮ時の画像安定化処理が実行される度毎に滞留トナーの吐出しを行なうと、プリントを行なわなくてもトナーを消費してしまうという問題がある。
【０００８】
また、プリントを中断して画像安定化を行なった場合、その直後のプリントにおいてトナー消費量が多い画像のプリントが続く可能性がある。このような場合には、画像安定化処理後に滞留トナーを排出する必要はない。
【０００９】
この発明はそのような問題点を解決するためになされたものであり、トナーの消費を抑制することが可能な画像形成装置、画像形成装置の制御方法、および画像形成装置の制御プログラムを提供することを目的としている。
【課題を解決するための手段】
【００１０】
上記目的を達成するためこの発明のある局面に従うと、画像形成装置は、トナーを収容し、トナーを用いて現像動作を行なう現像器と、トナーを用いてプリントを実行するプリント実行手段と、トナーを用いて画像安定化処理を実行する画像安定化処理実行手段と、現像器内の、現像動作量に対して消費すべき基準トナー量と、実際に消費したトナー量との差分である滞留トナー量を取得する取得手段と、プリント終了後に、取得手段が取得した滞留トナー量と第１の基準とを用いてトナー排出処理を行ない、画像安定化処理終了後に、取得手段が取得した滞留トナー量と第２の基準とを用いてトナー排出処理を行なうトナー排出手段とを備える。
【００１１】
好ましくは取得手段は、現像動作量としての現像ローラの駆動量と、プリントジョブのトナー消費に関する情報とを取得することで、現像器内の滞留トナー量を取得する。
【００１２】
好ましくはトナー排出手段は、プリント終了時には、取得手段の取得した現像器内の滞留トナー量が第１の基準であるしきい値を超えているかを判断することでトナー排出処理を行ない、画像安定化処理終了時には、取得手段の取得した現像器内の滞留トナー量が第２の基準であるしきい値を超えているかを判断することでトナー排出処理を行なう。
【００１３】
好ましくは取得手段は、現像動作量としての現像ローラの駆動量に対して消費すべき基準トナー量と、実際に消費したトナー量との差を求め、消費すべき基準トナー量に満たない量を滞留トナー量として取得する。
【００１４】
好ましくは画像形成装置は、プリントジョブを実行する前に、そのプリントジョブによって消費されるトナーの量を判定する判定手段と、取得手段で取得した現像器内の滞留トナー量と判定手段の判定結果とに基づいて、プリントジョブの実行を保留する保留手段とをさらに備える。
【００１５】
好ましくは画像形成装置は、複数のプリントジョブが登録されている場合において、取得手段の取得した現像器内の滞留トナー量、及び、複数のプリントジョブのうち、プリント予定実行順位が第一位の候補ジョブによって消費されるトナー量に基づいて、当該候補ジョブのプリントが実行されることによって、現像器内の滞留トナー量が０以下になる場合には、複数のプリントジョブの中から、候補ジョブよりも消費されるトナー量の少ないプリントジョブを候補ジョブよりも優先的に実行するようにジョブの実行順序を制御する制御手段をさらに備える。
【００１６】
好ましくは画像形成装置は、複数のプリントジョブが登録されている場合において、取得手段の取得した現像器内の滞留トナー量、及び、複数のプリントジョブのうち、プリント予定実行順位が第一位の候補ジョブによって消費されるトナー量に基づいて、当該候補ジョブのプリントが実行されることによって、現像器内の滞留トナー量が第１の基準であるしきい値を超える場合には、複数のプリントジョブの中から、候補ジョブよりも消費されるトナー量の多いプリントジョブを候補ジョブよりも優先的に実行するようにジョブの実行順序を制御する制御手段をさらに備える。
【００１７】
好ましくは現像器は、複数色のそれぞれに対応するトナーを収容した複数の現像器を含み、複数の現像器のそれぞれにおいて現像器内の滞留トナーの量を管理する。
【００１８】
好ましくは画像形成装置は、トナー排出手段によって、現像器内の滞留トナー量が第１の基準または第２の基準であるしきい値を超えたと判断された場合に、後続のプリントジョブのトナー消費量を判定する後続ジョブ判定手段と、後続ジョブ判定手段の判定結果に基づいて、トナー排出手段でのトナー排出を保留する排出保留手段とをさらに備える。
【００１９】
この発明の他の局面に従うと、トナーを収容し、トナーを用いて現像動作を行なう現像器を備えた画像形成装置の制御方法は、トナーを用いてプリントを実行するプリント実行ステップと、トナーを用いて画像安定化処理を実行する画像安定化処理実行ステップと、現像器内の、現像動作量に対して消費すべき基準トナー量と、実際に消費したトナー量との差分である滞留トナー量を取得する取得ステップと、プリント終了後に、取得ステップで取得した滞留トナー量と第１の基準とを用いてトナー排出処理を行ない、画像安定化処理終了後に、取得ステップで取得した滞留トナー量と第２の基準とを用いてトナー排出処理を行なうトナー排出ステップとを備える。
【００２０】
この発明のさらに他の局面に従うと、トナーを収容し、トナーを用いて現像動作を行なう現像器を備えた画像形成装置の制御プログラムは、トナーを用いてプリントを実行するプリント実行ステップと、トナーを用いて画像安定化処理を実行する画像安定化処理実行ステップと、現像器内の、現像動作量に対して消費すべき基準トナー量と、実際に消費したトナー量との差分である滞留トナー量を取得する取得ステップと、プリント終了後に、取得ステップで取得した滞留トナー量と第１の基準とを用いてトナー排出処理を行ない、画像安定化処理終了後に、取得ステップで取得した滞留トナー量と第２の基準とを用いてトナー排出処理を行なうトナー排出ステップとをコンピュータに実行させる。
【発明の効果】
【００２１】
これらの発明に従うと、トナーの消費を抑制することが可能な画像形成装置、画像形成装置の制御方法、および画像形成装置の制御プログラムを提供することが可能となる。
【発明を実施するための最良の形態】
【００２２】
［第１の実施の形態］
図１は、本発明の第１の実施の形態における画像形成装置の中央断面の概略を示す図である。ここでは画像形成装置は、タンデムフルカラープリンタであるものとする。
【００２３】
先ず画像形成装置の作像部の構成を説明する。画像形成装置１には、ＹＭＣＫ（イエロー、マゼンタ、シアン、ブラック）それぞれに対応するカートリッジ２８ａ、２８ｂ、２８ｃ、２８ｄが内蔵されている。各カートリッジ２８ａ、２８ｂ、２８ｃ、２８ｄには、感光体３ａ、３ｂ、３ｃ、３ｄを帯電する帯電部５ａ、５ｂ、５ｃ、５ｄと、画像パターンを露光する露光部６ａ、６ｂ、６ｃ、６ｄと、トナーを現像する現像器４ａ、４ｂ、４ｃ、４ｄとが内蔵されている。
【００２４】
画像形成装置は、感光体３ａ、３ｂ、３ｃ、３ｄ上に形成された４色のトナー像を重ねて画像形成する中間転写ベルト２と、中間転写ベルト２上に形成されたトナー像を記録媒体（メディア）上に転写する２次転写ローラ１１と、転写残トナーを中間転写ベルト２から分離する中間転写ベルトクリーナ（ブレード）７と、分離した転写残トナーを収納する廃トナーＢＯＸ１５と、カートリッジ２８ａ、２８ｂ、２８ｃ、２８ｄに対し、攪拌羽２６ａ、２６ｂ、２６ｃ、２６ｄを動作させることで、トナーを補給させるトナーボトル２５ａ、２５ｂ、２５ｃ、２５ｄとを備えている。
【００２５】
次に、記録媒体の搬送部の構成を説明する。画像形成装置は、記録媒体収納部１６から記録媒体を給紙する給紙ローラ８と、給紙された記録媒体を一旦停止させるタイミングローラ１０と、中間転写ベルト２に画像形成されたトナー像を記録媒体上に転写する２次転写ローラ１１と、記録媒体上に転写されたトナー像を定着する定着ローラ１２（加圧ローラ１２ａと加熱ローラ１２ｂとから構成）と、定着後の記録媒体を排出もしくは両面搬送経路へ搬送する排紙ローラ１３と、両面搬送経路を経由して記録媒体をタイミングローラ１０まで搬送する両面経路搬送ローラ１４ａ、１４ｂとを備えている。
【００２６】
通紙経路であって２次転写ローラ１１と定着ローラ１２との間には、２次転写ローラ１１が近接する転写部と定着ローラ１２とが用紙に形成するループが一定に達したか否かを判定する用紙検知センサ（定着ループセンサ、またはループ検知センサ）２７が設けられている。
【００２７】
なお、給紙ローラ８は、標準カセットの給紙ローラであり、通紙経路にはマルチ手差し給紙ローラ９も設けられている。
【００２８】
画像形成装置内には、モータ類として、カラーＰＣモータ１７と、メインモータ１８と、定着モータ１９と、カラー現像モータ２０と、現像モータ２１と、両面経路搬送モータ２２と、トナー補給モータ（イエロー、マゼンダ用）２３と、トナー補給モータ（シアン、ブラック用）２４とが設けられている。
【００２９】
また通紙経路には、用紙検知センサ２９〜３１と、用紙材質検知センサ３２とが設けられている。用紙材質検知センサ３２は、無くてもよい。
【００３０】
図２は、画像形成装置１の構成を示すブロック図である。画像形成装置は、エンジン部２００を備えている。エンジン部２００は、給紙搬送制御部２０１、記憶媒体制御部２０３、Ｉ／Ｆ制御部２０５、定着制御部２０７、画像形成制御部２０９、およびトナー補給制御部２１１を備えている（これら制御部は、ＣＰＵによって構成される）。
【００３１】
給紙搬送制御部２０１は、搬送モータ等各種負荷３０１および用紙検出センサ等３０３と接続されており、用紙の給紙や搬送を制御する。
【００３２】
記憶媒体制御部２０３は、各色トナーカートリッジ（トナーボトル）２５ａ〜２５ｄ内の記憶媒体であるＥＥＰＲＯＭ（不揮発メモリ）と接続されており、ＣＰＵで計測したデータなどを記憶することが出来る。また、記憶媒体制御部２０３は、ＲＡＭ２０７およびＲＯＭ３０９とも接続されている。
【００３３】
Ｉ／Ｆ制御部２０５は、コントローラ部１００と接続されており、各種情報をやり取りしている。コントローラ部１００には、操作パネル３０５が接続されている。ユーザはこの操作パネル３０５から各種設定をすることができる。
【００３４】
定着制御部２０７は、ヒータ、定着モータ等３１１と接続しており、定着処理を行なう各種装置を制御する。
【００３５】
画像形成制御部２０９は、現像器（現像部）、感光体、ポリゴンモータ、各種センサ、圧接離間クラッチ、および中間搬送モータ等の部材３１３と接続されており、現像および転写などの処理を行なう各種装置を制御する。また、画像形成制御部２０９は、機内を冷却するために設けられた冷却ファン３１５に接続される。画像形成制御部２０９が、冷却ファン３１５を制御することで、機内の温度上昇が抑えられる。
【００３６】
トナー補給制御部２１１は、トナー補給モータ２３および２４と接続されている。トナー補給制御部２１１は、プリント指示に従い、各色トナーを補給できるよう各種装置を制御する。
【００３７】
またＩ／Ｆ制御部２０５には、ネットワークなどの通信回線を通じて外部機器と通信を行なうための通信部３１７が接続されている。
【００３８】
図３は、感光体３の周囲の構成を示す断面図である。この感光体３は、感光体３ａ、３ｂ、３ｃ、３ｄのうちのいずれかである。感光体３の周囲には、帯電部５、現像器（現像部）４、イレーサ５１、およびクリーナ５３が配置されている。
【００３９】
現像器４内のトナーは現像されることで消費され、消費した分がトナーボトル（トナーカートリッジ）２５ａ、２５ｂ、２５ｃ、２５ｄから補給される。画像を出力することで現像器内のトナーは入れ替わっていく。消費するトナーが少ない画像を連続して出力し続けた場合、トナーの入れ替わりはわずかしか行なわれない。結果として、同じトナーが現像器４中に存在する時間が長くなる。
【００４０】
長期にわたって滞留したトナーは、感光体３や現像ブレード等と摺擦されて劣化する。劣化したトナーは、荷電性、流動性が低下する。劣化したトナーが現像に用いられると、画像濃度の低下や種々の画像品位の低下に繋がる。
【００４１】
これを防止するために本実施の形態の画像形成装置では、消費するトナーが少ない画像（低ＣＷ比の画像）のプリントが連続し、現像器内で滞留するトナーの量が増えた場合、トナーを強制的に現像（排出）する。そして、新しいトナーをトナーボトルから供給する。こうすることで、現像器内の滞留トナーの量を一定以下に保つ。
【００４２】
なお、ＣＷ比とは、Ｃｏｌｏｒ／Ｗｈｉｔｅ比率であり、用紙面積に対する画像面積の割合である。
【００４３】
滞留トナー量は以下のように求められる。
滞留トナー量＝（現像ローラの累積回転量／基準回転量）×３％
−積算ＣＷ比％  ・・・（式１）
【００４４】
基準回転量とは、Ａ４用紙１ページをプリントした時の現像ローラの回転量である。本実施の形態における画像形成装置では、Ａ４用紙１ページあたりのＣＷ比が３％以上である場合、画像品位の低下に繋がるようなトナーの滞留（劣化）が発生しないものとして計算を行なっている。よって、この３％との差分が滞留トナーとなる。
【００４５】
すなわち、一定の現像駆動量に対する消費すべき基準トナー量（（現像ローラの累積回転量／基準回転量）×３％）と、実際に消費したトナー量（積算ＣＷ比）との差が求められ、消費すべき基準トナー量に満たない量が滞留トナー量として測定される。
【００４６】
ＣＷ比とは、用紙面積に対する画像面積の割合であるが、例えばＡ４（２９７×２１０ｍｍ）で６００ｄｐｉ（１インチ＝２５．４ｍｍ）の場合、用紙面積は、
【００４７】
（２９７×２１０）／（２５．４／６００）  ｄｏｔ
であり、ＣＷ比３％の画像では
【００４８】
｛（２９７×２１０）／（２５．４／６００）｝×０．０３  ｄｏｔ
が画像面積となる。
【００４９】
画像形成装置は、画像を形成するすべての画素（ドット）の累計をもってＣＷ比を計算するわけではなく、画素の濃淡や、その画素の周囲の画素の分布状況に応じて補正を行ないＣＷ比を計算している。
【００５０】
また本実施の形態でのＣＷ比とは、プリントする画像サイズに対するＣＷ比ではなく、用紙サイズ（Ａ４サイズ）に対するＣＷ比（画像を形成するドット数／Ａ４サイズのドット数）である。
【００５１】
また、上記（式１）における積算ＣＷ比とは、各プリント画像の上記ＣＷ比の累積値である。
【００５２】
滞留トナー量はマイナスになることはないので、（式１）で求めた値が０以下の場合、滞留トナー量は「０」とする。
【００５３】
コントローラ部は、エンジン部へのプリント指示に先立ち、画像のＣＷ比を計数する。エンジン部は、コントローラ部からプリント指示があると、プリント動作を開始すると共に現像ローラの回転量を計数する。これにより上記（式１）の「現像ローラの累積回転量」が算出される。
【００５４】
さらにエンジン部は、コントローラ部から通知されるＣＷ比を累積加算し、上記（式１）の「積算ＣＷ比」を求める。エンジン部は、プリントが１枚終了するたびに、上記（式１）により滞留トナー量を求める。エンジン部は、滞留トナー量が第１のしきい値を超えた場合はプリントを中断し、滞留トナーの排出を行なう。
【００５５】
またプリントジョブ（Ｊｏｂ）の終了時に、滞留トナー量が第２のしきい値を超えていた場合も滞留トナーの排出を行なう。
【００５６】
第１のしきい値は、画像品位が低下しない限界のしきい値である。第２のしきい値は、第１のしきい値の約１／５程度のしきい値である。第２のしきい値は、第１のしきい値によるプリントの中断が発生しないように、ジョブの終了時に滞留トナーがある程度溜まっていたらその排出を行なうためのしきい値である。
【００５７】
滞留トナーの排出を行なったときには、「現像ローラの累積回転量」と「積算ＣＷ比」とはクリアされる。
【００５８】
滞留トナー量は、プリントする画像のＣＷ比に応じて増加、減少する。滞留トナー量は、「０」以下にはならないので、本実施の形態では、プリントジョブの順番を入れ替えることで、滞留トナー量を抑えることとしている。
【００５９】
図４は、滞留トナー量が「０」の状態から複数のジョブをプリントした場合の滞留トナー量の推移を示す図である。
【００６０】
ここでは２つのジョブ（低ＣＷ比ジョブと高ＣＷ比ジョブ）を連続して実行した場合の、滞留トナー量の変化について説明している。横軸に時間が、縦軸に滞留トナー量が示されている。ここでは低ＣＷ比ジョブとは、ＣＷ比が３％未満のジョブであり、高ＣＷ比ジョブとは、ＣＷ比が３％以上のジョブである。低ＣＷ比ジョブを実行すると、トナーの消費が少ないため滞留トナー量は増加し、逆に、高ＣＷ比ジョブを実行すると、トナーの消費が多いため滞留トナー量は減少する。
【００６１】
（１）の実線は、低ＣＷ比ジョブを実行した後に高ＣＷ比ジョブを実行する場合の滞留トナー量の変化を、（２）の点線は、高ＣＷ比ジョブを実行した後に低ＣＷ比ジョブを実行する場合の滞留トナー量の変化を示している。
【００６２】
（１）の処理を行なっても（２）の処理を行なっても、ＣＷ比自体の累積は同じである。
【００６３】
（２）の処理を行なう場合、滞留トナー量が０の状態で高ＣＷ比ジョブのプリントを行なうため、最初は滞留トナー量は増加せず０のままである。後半の低ＣＷ比ジョブのプリントで、滞留トナー量が増加する。
【００６４】
（１）の処理を行なう場合、最初に低ＣＷ比ジョブのプリントを行なうため、滞留トナー量が増加する。後半の高ＣＷ比ジョブのプリントで、滞留トナー量が減少する。
【００６５】
結果として、（１）の処理を行なう方が、（２）の処理を行なうよりも最終的な滞留トナー量を減らすことが可能となる。そこで本実施の形態においては、複数ジョブのトータルのＣＷ比が同じであっても、プリントの順を入れ替えることで最終的な滞留トナー量を減らすように画像形成装置を制御することとしている。
【００６６】
より詳しくはコントローラ部は、プリントに先立ちそのジョブ全体の積算ＣＷ比を求め、滞留トナー量に応じてジョブの順番を入れ替える。
【００６７】
滞留トナー量が少ない状態において、次に実行される予定のジョブが高ＣＷ比ジョブであるときを想定する。そのジョブのプリントを行なうと、滞留トナー量が０以下になる場合は、他の低ＣＷ比のジョブのプリントが優先的に実行される。
【００６８】
逆に滞留トナー量が多い状態において、次に実行される予定のジョブが低ＣＷ比ジョブであるときを想定する。そのジョブのプリントを行なうと、滞留トナーが第２のしきい値を超えてしまい、滞留トナーの排出が行なわれる場合は、他の高ＣＷ比のジョブのプリントが優先的に実行される。
【００６９】
図４の例では、最初、滞留トナー量は０である。ここで高ＣＷ比ジョブを実行すると、滞留トナー量が計算上０以下となってしまう（実際の滞留トナー量は０以下にはならないので、計算上０以下の場合、０として記録される）。そこで、高ＣＷ比ジョブの実行は一旦待機状態となり、他の低ＣＷ比ジョブの実行が行なわれる。その後、待機状態であった高ＣＷ比ジョブの実行が行なわれる。すなわち、本実施の形態における画像形成装置では、（２）の点線での処理ではなく、（１）の実線で示される処理が実行される。これにより、最終的な滞留トナー量を減少させることができる。
【００７０】
図５は、画像形成装置が管理するジョブ管理テーブルを示す図である。
【００７１】
登録が古いジョブから新しいジョブに向かって、ジョブの番号が振られる。ここではジョブ１が最も古く、ジョブ５が最も新しいもの（最終に登録されたジョブ）である。ジョブの実行は、原則として古いものから行なわれる。すなわち、ジョブ１が実行の候補ジョブとされている。
【００７２】
候補ジョブであるジョブ１を実行する前に、現在の滞留トナー量とジョブ１のＣＷ比とから、ジョブ１を実行した後の滞留トナー量の予想値が算出される。このとき、滞留トナーの予想値が０以下である場合、または第２のしきい値を超える場合、ジョブ１の実行は一旦留保され、候補ジョブは次のジョブであるジョブ２とされる。ジョブ２に関しても上記ジョブ１と同様の処理が行なわれる。
【００７３】
また、ジョブ１を実行した後の滞留トナー量の予想値が０以上であり、かつ第２のしきい値以下である場合、ジョブ１の実行が行なわれる。
【００７４】
図６は、画像形成装置が実行する１枚の画像のプリントを行なったときの滞留トナー量の算出処理を示すフローチャートである。
【００７５】
図を参照してステップＳ１０１で、現像ローラの駆動量（回転量）が算出される。現像ローラの駆動量が多くなるほどに、トナーは劣化してゆく。ステップＳ１０１では、このような劣化の量を測定するものである。
【００７６】
ステップＳ１０３で、プリントした画像のＣＷ比の計数が行なわれる。ＣＷ比が大きい画像がプリントされると、それだけトナーが排出されて新しいトナーが現像器に導入されるため、現像器内のトナーの劣化度合いは小さくなる。ステップＳ１０３では、このようなトナーの排出量を測定するものである。
【００７７】
ステップＳ１０５において、現像ローラの駆動量と画像のＣＷ比とに基づいて、上記（式１）により滞留トナー量が算出される。なお、プリントジョブが複数枚のプリントジョブである場合、上記ステップＳ１０１〜ステップＳ１０５の処理が繰り返される。
【００７８】
図７は、滞留トナーの排出処理を示すフローチャートである。
【００７９】
図を参照してステップＳ２０１において、所定のタイミングであるかを判定する。所定のタイミングとは、１枚の画像のプリントを行なったとき、または１つのジョブを終了したときである。
【００８０】
ステップＳ２０１でＹＥＳであれば、ステップＳ２０３において、図６の処理で計算された滞留トナー量が、所定値より大きいかを判定する。ここで「所定値」としては、１枚の画像のプリント終了時であれば、第１のしきい値が用いられる。また、プリントジョブの終了時であれば、第２のしきい値が用いられる。
【００８１】
ステップＳ２０３でＹＥＳであれば、ステップＳ２０５で滞留トナーの排出が行なわれる。また、滞留トナー量がクリアされる。その後、処理を終了する。
【００８２】
ステップＳ２０３でＮＯである場合、ステップＳ２０１からの処理が実行される。
【００８３】
図８は、ジョブの順序入れ替え処理を示すフローチャートである。
【００８４】
図５で説明したように、最初の（最も古い）プリントジョブが、プリント候補ジョブとして登録されているものとする。
【００８５】
ステップＳ３０１において、候補ジョブの平均ＣＷ比（ＣＷ＿ａｖｅ）が求められる。あるジョブの平均ＣＷ比とは、そのジョブでプリントされる画像が１枚であれば、その画像のＣＷ比であり、そのジョブでプリントされる画像が複数枚であればそれら画像の平均のＣＷ比である。
【００８６】
ステップＳ３０３において、候補ジョブは低ＣＷ比のジョブであるかが判定される。具体的には、候補ジョブのＣＷ＿ａｖｅが３％未満であるかを判定する。ＹＥＳ（ＣＷ＿ａｖｅが３％未満）の場合は、基本的にこの候補ジョブの終了後に、滞留トナー量は増加する。そこで、ステップＳ３１５において、候補ジョブの終了後に滞留トナーの排出が行なわれるかを判定する。具体的には、
（３％−ＣＷ＿ａｖｅ）×ジョブのページ数＋現在の滞留トナー量＞第２のしきい値
の関係を満たすかを判定する。
【００８７】
すなわち、現在の滞留トナー量とＣＷ＿ａｖｅとから、候補ジョブ終了後の滞留トナー量を予測する。候補ジョブ終了後の滞留トナー量が第２のしきい値を超え、滞留トナーの排出が行なわれると予測される場合（Ｓ３１５でＹＥＳ）は、ステップＳ３０７でこの候補ジョブのプリントを保留する。
【００８８】
一方、候補ジョブ終了後の滞留トナー量が第２のしきい値以下となり、滞留トナーの排出が行なわれないと予測される場合（Ｓ３１５でＮＯ）は、ステップＳ３１３でこの候補ジョブのプリントを実行する。
【００８９】
ステップＳ３０３でＮＯ（ＣＷ＿ａｖｅが３％以上）の場合は、基本的にこの候補ジョブの終了後に滞留トナー量は減少する。そこで、ステップＳ３０５において、候補ジョブの終了後に滞留トナー量が０以下になるかを判定する。具体的には、
（ＣＷ＿ａｖｅ−３％）×ジョブのページ数＞現在の滞留トナー量
の関係を満たすかを判定する。
【００９０】
すなわち、現在の滞留トナー量とＣＷ＿ａｖｅとから、候補ジョブ終了後の滞留トナー量を予測する。候補ジョブ終了後の滞留トナー量が０以下になる場合（Ｓ３０５でＹＥＳ）は、ステップＳ３０７でこの候補ジョブのプリントを保留する。
【００９１】
一方、候補ジョブ終了後の滞留トナー量が０以上になると予測される場合（Ｓ３０５でＮＯ）は、ステップＳ３１３でこの候補ジョブのプリントを実行する。
【００９２】
ステップＳ３０７で候補ジョブの保留が行なわれた場合、ステップＳ３０９で、現在の候補ジョブが最終ジョブかどうかを判定する。最終ジョブとは、図５に示されるように最新のジョブである。最終ジョブでない場合（Ｓ３０９でＮＯ）は、ステップＳ３１７で次の順番のジョブをプリント候補ジョブとして登録し、ステップＳ３０１からの処理を実行する。
【００９３】
ステップＳ３０７で保留したジョブが最終ジョブの場合（Ｓ３０９でＹＥＳ）は、ステップＳ３１１で最も古い保留ジョブを候補ジョブとし、ステップＳ３１３でそのジョブのプリントを行なう。
【００９４】
最終ジョブが保留されたということは、すべてのジョブが保留されたことを意味する。この場合、ジョブの順番を入れ替えても最終的な滞留トナー量は変わらない。このため順番の入れ替えを行なわないものである。
【００９５】
ジョブが保留された後に、後続のジョブが保留されずにプリントされた場合、滞留トナー量は変化する。そのため、次に、先に保留したジョブのプリントを行なうことができる可能性がある。極力ジョブの順を変えないために、ジョブ保留後に他のジョブのプリントが実施された場合は、再度保留したジョブのプリントが可能かどうかの判断を行なうことが望ましい。具体的には、図８のステップＳ３１３でプリントが実行された後は、最も古いジョブを候補ジョブとしてステップＳ３０１からの処理を行なうことが望ましい。
【００９６】
以上のように本実施の形態によると画像形成装置は、滞留トナー量に応じてプリントする画像の順序を入れ替える。より詳しくは複数の印刷ジョブが滞っている場合において、滞留トナー量が多い場合（図８のＳ３０５でＮＯ）は、高ＣＷ比画像のプリントを優先させ、滞留トナー量が少ない場合（図８のＳ３０５でＮＯ）は、低ＣＷ比画像のプリントを優先させる。
【００９７】
滞留トナー量が多い場合は、高ＣＷ比画像の処理を優先させることになるため、滞留トナー量は一旦減少し、滞留トナー吐出しが抑制（延期）される。その後の低ＣＷ比画像のプリントを行なうことで、滞留トナーの吐出し条件に合致する場合もあるが、一時的な滞留トナー量の増加による滞留トナーの吐出しは抑止される。
【００９８】
滞留トナー量が少ない場合は、低ＣＷ比画像の処理を優先させることになるため、滞留トナー量は一旦増加するが、その後の高ＣＷ比画像のプリントで滞留トナー量は減少する可能性がある。滞留トナー量は０以下になることはないので、先に高ＣＷ比画像をプリントした場合や、順番を入れ替えない場合と比較して、最終的な滞留トナー量を減少させることができる可能性が高くなる。
【００９９】
［変形例１］
なお、図８では古いジョブから新しいジョブへ順に候補ジョブとしていき、候補ジョブが条件を満たすかを判定した。例えばステップＳ３０５の判断においては、条件に合致するジョブ（Ｓ３０５でＮＯと判断されるジョブ）が古いものから実行される。これに代えて、登録されている全てのジョブについて条件に合致するか否かを判定し、条件に合致するジョブのうち、最も滞留トナーを減らすことができるものを優先して実行するようにしてもよい。すなわちそのジョブの終了後に滞留トナー量が０以下とならないジョブのうち、ＣＷ比が最も大きいジョブを優先させるものである。これにより、現像器内の滞留トナーの量を減らすことができ、画像品質の向上を図ることができる。
【０１００】
［変形例２］
滞留トナー量は各色の現像器ごとに記録し、滞留トナー量が多くなった現像器においてトナーの排出を行なうこととしてもよい。
【０１０１】
［変形例３］
上記実施の形態では、現像モータの回転量（現像ローラの駆動量）を取得し、それに対するＣＷ比から滞留トナー量を求めているが、現像器のトナーの状態に関する情報として他の情報を取得してもよい。例えば、感光体の回転量など、現像ローラの回転量に比例する情報を取得してもよいし、プリント枚数に対するＣＷ比などを取得することで滞留トナー量を求めることとしてもよい。
【０１０２】
［第２の実施の形態］
本発明の第２の実施の形態における画像形成装置の基本的な構成は、第１の実施の形態における画像形成装置のそれと同じであるためここでの説明は繰り返さない。ここでは、第２の実施の形態における画像形成装置が第１の実施の形態における画像形成装置と異なる点について説明する。
【０１０３】
第２の実施の形態における画像形成装置では、第１のしきい値を用いた１枚のプリント毎の滞留トナー排出の判定は、図７のフローチャートで行われる。第２のしきい値を用いたジョブの切れ目における滞留トナー排出の判定は、図９のフローチャートにより行なわれる。
【０１０４】
図９は、第２の実施の形態における画像形成装置が実行する、ジョブの切れ目における滞留トナー排出の判定処理を示すフローチャートである。
【０１０５】
ステップＳ４０１において、ある１つのジョブが実行された後（すなわちジョブの切れ目において）、ステップＳ４０３で滞留トナーの吐出し条件が成立しているかを判断する。すなわち、その時点における滞留トナーが第２のしきい値を超えているかを判断する。
【０１０６】
ステップＳ４０３でＹＥＳであれば、ステップＳ４０５において、次に実行するジョブのＣＷ比、およびそのジョブで発生する滞留トナーの量を算出する。ステップＳ４０７において、次に実行するジョブは低ＣＷ比のジョブであるかを判定する。ＮＯであれば（つまり高ＣＷ比のジョブであれば）、そのジョブを実行することにより滞留トナーを減少させることができる。そこで、ステップＳ４０９において現在の滞留トナー量に、次のジョブで生じる滞留トナー量を加えたトナー量が、第２のしきい値を超えるかを判定する。ここでは次のジョブは高ＣＷ比のジョブであるため、次のジョブで生じる滞留トナー量の値は、マイナスになる。
【０１０７】
ステップＳ４０９でＹＥＳであれば、次のジョブを実行しても滞留トナー量が第２のしきい値を超えることを示すので、ステップＳ４１１で現時点で滞留トナーの吐出しを行なう。また、滞留トナー量をクリアする。
【０１０８】
ステップＳ４０９でＮＯであれば、次のジョブを実行することで滞留トナー量を第２のしきい値以下とすることができるので、現時点では滞留トナーの吐出しを行なわずに処理を終了する。
【０１０９】
ステップＳ４０３でＮＯであれば、現時点では滞留トナーが第２のしきい値を超えていないため滞留トナーの吐出しを行なわずに終了する。
【０１１０】
また、ステップＳ４０７でＹＥＳであれば、次に実行するジョブは低ＣＷ比のジョブであり、そのジョブを実行しても滞留トナーを減少させることができないため、ステップＳ４１１に移行し、現時点で滞留トナーの吐出しを行なう。また、滞留トナー量をクリアする。
【０１１１】
以上のように、第２の実施の形態によると画像形成装置は、ジョブ終了時点で、滞留トナー量が第２のしきい値を超える場合において、次に実行するジョブが高ＣＷ比のジョブであってそのジョブの実行により滞留トナー量が第２のしきい値を超えなくなるときは、滞留トナーの吐出しを抑制することができる。
【０１１２】
［第３の実施の形態］
本発明の第３の実施の形態における画像形成装置の基本的な構成は、第１の実施の形態における画像形成装置のそれと同じであるためここでの説明は繰り返さない。ここでは、第３の実施の形態における画像形成装置が第１の実施の形態における画像形成装置と異なる点について説明する。
【０１１３】
本実施の形態における画像形成装置は、ジョブの切れ目において残っているジョブ全体のＣＷ比を計数する。全ジョブ終了時点で滞留トナー量が第２のしきい値以下であると予測される場合は、ジョブの切れ目での第２のしきい値による滞留トナーの排出を行なわないように制御が行なわれる。全ジョブを実行することで、滞留トナー量を第２のしきい値以下とすることができるため、ジョブの切れ目で滞留トナーの排出を行なう必要性が少ないためである。
【０１１４】
図１０は、第３の実施の形態における画像形成装置が実行する、ジョブの切れ目における滞留トナー排出の判定処理を示すフローチャートである。
【０１１５】
ステップＳ７０１において、ある１つのジョブが実行された後（すなわちジョブの切れ目において）、ステップＳ７０３で滞留トナーの吐出し条件が成立しているかを判断する。すなわち、その時点における滞留トナーが第２のしきい値を超えているかを判断する。
【０１１６】
ステップＳ７０３でＹＥＳであれば、ステップＳ７０５において、その時点において登録されている全てのジョブそれぞれの平均ＣＷ比、および全てのジョブを実行することで最終的に発生する滞留トナーの量を算出する。ステップＳ７０７において、現在の滞留トナー量に、全てのジョブで生じる滞留トナー量を加えたトナー量が、第２のしきい値を超えるかを判定する。
【０１１７】
ステップＳ７０７でＹＥＳであれば、全てのジョブを実行しても滞留トナー量が第２のしきい値を超えることを示すので、ステップＳ７０９で現時点で滞留トナーの吐出しを行なう。また、滞留トナー量をクリアする。
【０１１８】
ステップＳ７０７でＮＯであれば、全てのジョブを実行することで最終的な滞留トナー量を第２のしきい値以下とすることができるので、現時点では滞留トナーの吐出しを行なわずに処理を終了する。
【０１１９】
ステップＳ７０３でＮＯであれば、現時点では滞留トナーが第２のしきい値を超えていないため滞留トナーの吐出しを行なわずに終了する。
【０１２０】
以上のように第３の実施の形態によると画像形成装置は、ジョブの終了時点で滞留トナー量が第２のしきい値を超える場合において、その時点で登録されている全ジョブの実行により第２のしきい値を超えなくなるときは、最終的な滞留トナー量を抑えることができる。また、滞留トナー吐き出しによるトナー消費を抑えることができる。
【０１２１】
［第４の実施の形態］
本発明の第４の実施の形態における画像形成装置の基本的な構成は、第１の実施の形態における画像形成装置のそれと同じであるためここでの説明は繰り返さない。ここでは、第４の実施の形態における画像形成装置が第１の実施の形態における画像形成装置と異なる点について説明する。
【０１２２】
本実施の形態における画像形成装置は、図７のフローチャートのステップＳ２０１において、画像安定化処理終了時またはプリントジョブの終了時に所定のタイミングである（Ｓ２０１でＹＥＳ）とする。ステップＳ２０３においては、滞留トナーを排出するかどうかを判断するための所定値（滞留トナー量のしきい値）が複数用いられる。
【０１２３】
すなわち、プリントジョブ終了時の滞留トナー排出条件と、画像安定化処理終了時の滞留トナー排出条件とが異なる。画像安定化処理終了時に用いられるしきい値（第３のしきい値）は、プリントジョブ終了時に用いられるしきい値（第２のしきい値）よりも大きい。
【０１２４】
これにより、画像安定化終了時には滞留トナーの吐出しが行われにくくなり、滞留トナー吐出しが抑制（延期）される。その後のプリントで、滞留トナーの吐出し条件に合致する可能性もあるが、画像安定化に伴う一時的な滞留トナー量の増加による滞留トナーの吐出しは抑止される。
【０１２５】
なお、画像安定化終了時に用いられるしきい値（第３のしきい値）を、プリントジョブ実行中の１枚の画像のプリント終了時に用いられるしきい値（第１のしきい値）よりも大きくすることとしてもよい。また、第１および第３のしきい値を同じ値としてもよい。
【０１２６】
本実施の形態における画像形成装置のコントローラ部は、エンジン部へのプリント指示に先立ち、プリントする画像のＣＷ比を計数する。コントローラ部からプリント指示があると、エンジン部は、プリント動作を開始すると共に現像ローラの回転量を計数する。これにより、上記（式１）の現像ローラの累積回転量が算出される。
【０１２７】
またエンジン部は、コントローラ部から通知されるＣＷ比を累積加算し、積算ＣＷ比を求める。エンジン部は、プリントが１枚終了するたびに、上記（式１）により滞留トナー量を求める。プリントジョブの終了時にエンジン部は、滞留トナー量が第２のしきい値を超えていた場合、滞留トナーの排出を行なう。ここで第２のしきい値は、４０％であるものとするが、これに限るものではない。なお「４０％」とは、「Ａ４用紙１ページをベタ画像とする量の残留トナーの量」を１００％としたときの「４０％」である。
【０１２８】
画像安定化処理時には、中間転写ベルトにパターンが描かれる。描かれるパターンのＣＷ比は３％以下であるため、画像安定化処理を実施すると滞留トナー量は増加する。プリント動作終了時だけでなく、画像安定化処理終了後も滞留トナー量が求められ、滞留トナー量が第３のしきい値を超えていた場合は、滞留トナーの排出が行なわれる。ここで第３のしきい値は、２００％であるものとするが、これに限るものではない。なお「２００％」とは、「Ａ４用紙１ページをベタ画像とする量の残留トナーの量」を１００％としたときの「２００％」である。
【０１２９】
なお、画像安定化時に中間転写ベルトに描くパターンは予め決まっているので、そのＣＷ比はエンジンに固定値として記憶させておいてもよい。この場合、ＣＷ比はコントローラからは通知されない。
【０１３０】
滞留トナーの排出が行なわれた場合は、現像ローラの累積回転量と積算ＣＷ比とはクリアされる。
【０１３１】
第３のしきい値は、画像品位の低下が発生する滞留トナー量以下の値であり、かつ第２のしきい値よりも大きい。また第３のしきい値は、１度の画像安定化処理で蓄積される滞留トナー量よりも大きい。
【０１３２】
図１１は、画像安定化処理を実行した後にプリントジョブを実行した場合の滞留トナー量の推移を示す図である。
【０１３３】
ここでは画像安定化処理を実行した後に高ＣＷ比のプリントジョブが実行される場合の、滞留トナー量の変化について説明している。横軸に時間が、縦軸に滞留トナー量が示されている。一点鎖線により従来技術での処理を行なった場合が、実線により本実施の形態における処理を行なった場合が示されている。
【０１３４】
画像安定化処理によって蓄積される滞留トナー量は、第２のしきい値以上となる。従来の技術においては、画像安定化処理終了時（Ａ）において、滞留トナーの排出が行なわれていた。
【０１３５】
しかし、滞留トナー量が第２のしきい値を超えた場合、即座に画像品位が低下するわけではない。画像安定化処理終了時（Ａ）には第２のしきい値以上の滞留トナーが蓄積されることになるが、その後のプリントで高ＣＷ比の画像がプリントされる場合も想定されるので、本実施の形態では、画像安定化処理終了時は第２のしきい値による滞留トナーの排出は行なわない。これにより、無駄なトナー消費を抑えることができる。
【０１３６】
画像安定化処理の次に、トナー消費量の多い高ＣＷ比のプリントジョブが実行されると、従来技術においては、そのジョブの終了時（Ｂ）において滞留トナー量は、画像安定化処理終了（Ａ）の時点でトナー排出が行なわれているため０のままである。これに対して本実施の形態では画像安定化処理終了時（Ａ）においてトナー排出を行なわなくとも、そのジョブの終了時（Ｂ）において滞留トナー量を第２のしきい値以下とすることができる可能性がある。
【０１３７】
その後、低ＣＷ比のプリントジョブが複数実行されると、従来技術においては、ジョブの終了時に滞留トナー量が第２のしきい値となった時点（Ｄ）で、滞留トナーが排出される。その後、高ＣＷ比のプリントジョブが実行されても滞留トナー量は、０のままである。
【０１３８】
本実施の形態によると、ジョブの終了時（Ｂ）に続いて、低ＣＷ比のプリントジョブが複数実行されると、それらのジョブの終了時に滞留トナー量が第２のしきい値となった時点（Ｃ）で、滞留トナーが排出される。その後、低ＣＷ比のプリントジョブが実行されると、滞留トナー量は増加し、高ＣＷ比のプリントジョブが実行されると滞留トナー量は減少する。
【０１３９】
画像安定化処理終了後に第２のしきい値によるトナー排出を行わない理由について、さらに説明する。
【０１４０】
画像安定化処理は電源ＯＮ時に実施される。その後、モノクロプリントのみが行なわれて電源がＯＦＦされる場合が想定される。モノクロプリントではカラーのトナーは消費しないので、仮に第２のしきい値でトナー排出を行なうと、カラープリントを行なわないのにも関わらず、カラートナーを消費してしまう。よって、画像安定化処理のみでは滞留トナーの排出は極力行なわないようにするものである。
【０１４１】
画像安定化処理終了後は滞留トナー量が多いので、図８のフローチャートにより、複数のジョブがある場合は、高ＣＷ比のプリントジョブが優先的に出力される。また、図９や図１０のフローチャートでの処理を実行することにより、将来的に滞留トナーが減少する場合に、トナーの排出を保留することができる。
【０１４２】
上述の例のように、例えば電源ＯＮ、モノクロプリント、電源ＯＦＦを繰返すと、カラートナーにおける滞留トナー量は増加してゆき、いずれ第３のしきい値を超えることになる。この場合は、その後の画像品位の劣化を招くので滞留トナーの排出が行なわれる。
【０１４３】
図１２は、第４の実施の形態における滞留トナー排出制御の処理を示すフローチャートである。
【０１４４】
ステップＳ５０１において、画像安定化処理終了時またはプリントジョブの終了時のいずれであるかが判定される。プリントジョブの終了時であれば、ステップＳ５０３で滞留トナー排出のためのしきい値として第２のしきい値が設定される。一方、画像安定化処理の終了時であれば、ステップＳ５０９で滞留トナー排出のためのしきい値として第３のしきい値が設定される。
【０１４５】
ステップＳ５０５において、滞留トナー量が滞留トナー排出のためのしきい値を超えているか判定された場合（Ｓ５０５でＹＥＳ）、ＹＥＳであるときにステップＳ５０７で、滞留トナーが排出される。
【０１４６】
［第４の実施の形態における効果］
以上説明したように第４の実施の形態によると、プリントジョブ終了時の滞留トナー排出条件と画像安定化処理終了時の滞留トナー排出条件とを変えることで、ＣＷ比の低い画像安定化処理の実行に伴う滞留トナー吐出しによるトナー消費を最小限に抑えることができるという効果がある。
【０１４７】
［第５の実施の形態］
本発明の第５の実施の形態におけるプリントシステムは、ネットワークに接続される複数の画像形成装置と、プリントサーバとにより構成される。画像形成装置は、第１〜４の実施の形態における画像形成装置であってもよいし、従来の画像形成装置であってもよい。
【０１４８】
プリントサーバは、クライアントＰＣからジョブを入力すると、画像の出力先（すなわち画像をプリントする画像形成装置）を決定する。この際、各画像形成装置の滞留トナー量が均一になるように出力先の決定が行なわれる。
【０１４９】
すなわち、他の画像形成装置と比較して滞留トナー量が多い画像形成装置では、高ＣＷ比画像のプリントを行なわせるようにし、滞留トナー量が少ない画像形成装置では、低ＣＷ比画像のプリントを行なうようにする。
【０１５０】
図１３は、画像形成装置が接続されるネットワークを示す図である。
【０１５１】
画像形成装置である各プリンタ４０５ａ〜４０５ｄは、ネットワークに接続されている。プリントサーバ４０１は、クライアントＰＣ４０３からのプリントジョブを各プリンタ４０５ａ〜４０５ｄに振り分ける。
【０１５２】
プリントサーバ４０１は、ＣＰＵ４０１ａと、記憶部４０１ｂと、通信部４０１ｃとを備える。プリントサーバ４０１は、各プリンタにおける滞留トナー量を管理している。
【０１５３】
プリントサーバ４０１は、プリントに先立ち、ジョブ全体の平均ＣＷ比を求める。平均ＣＷ比が３％以上である場合、最も滞留トナー量の多いプリンタに対してプリント指示を行なう。平均ＣＷ比が３％未満の場合、最も滞留トナー量の少ないプリンタに対してプリント指示を行なう。
【０１５４】
各プリンタにおいてエンジン部は、コントローラ（プリントサーバ）からプリント指示があるとプリント動作を開始すると共に、現像ローラの回転量を計数する。これにより、上記（式１）の現像ローラの累積回転量が算出される。
【０１５５】
またエンジン部は、コントローラ（プリントサーバ）から通知されるＣＷ比を累積加算し、積算ＣＷ比を求める。エンジン部は、プリントが１枚終了するたびに、上記（式１）により滞留トナー量を求める。１枚のプリントが終了した時点で、滞留トナー量が第１のしきい値を超えた場合はプリントが中断され、滞留トナーの排出が行なわれる。
【０１５６】
またプリントジョブの終了時に、滞留トナー量が第２のしきい値を超えていた場合も滞留トナーの排出が行なわれる。
【０１５７】
第１のしきい値は画像品位が低下しない限界のしきい値である。第２のしきい値は第１のしきい値の約１／５程度のしきい値であり、第１のしきい値によるプリントの中断が発生しないように、ジョブの終了時に滞留トナーがある程度たまっていたら排出を行なうためのものである。
【０１５８】
滞留トナーの排出を行なった場合は、現像ローラの累積回転量と積算ＣＷ比とはクリアされる。ジョブの終了時にプリンタは、現在の滞留トナー量をプリントサーバ４０１に通知する。
【０１５９】
図１４は、プリントサーバが実行するジョブの振分け処理を示すフローチャートである。
【０１６０】
図を参照して、クライアントＰＣよりプリントジョブを受信したときに、ステップＳ６０１でそのジョブの平均ＣＷ比の値を算出する。ステップＳ６０３で、平均ＣＷ比の値が３％以上であれば、ステップＳ６０５でそのジョブを最も滞留トナー量が多いプリンタに送信し、プリントを実行させる。一方、ステップＳ６０３で、平均ＣＷ比の値が３％未満であれば、ステップＳ６０７でそのジョブを最も滞留トナー量が少ないプリンタに送信し、プリントを実行させる。
【０１６１】
［第５の実施の形態における効果］
以上のように第５の実施の形態によると、滞留トナー量が多い画像形成装置では、高ＣＷ比画像のプリントが優先して行なわれるため、滞留トナー量は減少する。滞留トナー量が少ない画像形成装置では、低ＣＷ比画像のプリントが優先して行なわれるため、滞留トナー量は増加する。しかしながら、結果として各画像形成装置の滞留トナーの排出頻度は低下し、無駄なトナー消費が抑制される。
【０１６２】
［第６の実施の形態］
本発明の第６の実施の形態におけるプリントシステムの基本的な構成は、第５の実施の形態におけるプリントシステムのそれと同じであるためここでの説明は繰り返さない。ここでは、第６の実施の形態におけるプリントシステムが第５の実施の形態におけるプリントシステムと異なる点について説明する。
【０１６３】
第６の実施の形態においては、プリントサーバは各プリンタの各色（Ｙ、Ｍ、Ｃ、Ｋ）ごとの滞留トナー量を管理する。プリントジョブにおける各色のトナー消費量に基づいて、そのプリントジョブをどのプリンタで実行するかが決定される。
【０１６４】
より詳しくは、プリントサーバはプリントジョブの実行に先立ち、下式によりＹＭＣＫ各色毎にそのジョブ全体を実行することで生じる滞留トナー量を求める。
【０１６５】
滞留トナー量＝（３％−ＣＷ＿ａｖｅ）×ジョブのページ数
（平均ＣＷ比が３％を超える場合、滞留トナー量はマイナスとなる）
【０１６６】
次に、上記で求めたジョブ全体（各色毎）の滞留トナー量を、各プリンタの現在の滞留トナー量（各色毎）に加算する。これにより、そのジョブを各プリンタでプリントした後の滞留トナー量が求められる。
【０１６７】
その際、そのジョブのプリントが終了した時点における、すべてのプリンタの滞留トナー量が記憶される。１つのプリンタにつき４色の滞留トナー量があるため、その最大値が記憶される。
【０１６８】
たとえば、３台のプリンタがジョブ振分けの対象である場合を想定する（各プリンタをＮｏ.１、Ｎｏ.２、Ｎｏ.３と呼ぶ）。
【０１６９】
図１５は、あるジョブを実行することにより生じる滞留トナー量と、Ｎｏ．１〜Ｎｏ．３の各プリンタにおける現在の滞留トナー量を示す図である。
【０１７０】
（Ａ）に示されるように、あるジョブを実行することによって滞留トナー量は、Ｙで１０、Ｍで３、Ｃで−５、Ｋで２の量が変化するものとする。また、Ｎｏ．１のプリンタではＹＭＣＫそれぞれの現在の滞留トナー量が、３、０、０、６であるものとする。Ｎｏ．２のプリンタではＹＭＣＫそれぞれの現在の滞留トナー量が、０、５、５、９であるものとする。Ｎｏ．３のプリンタではＹＭＣＫそれぞれの現在の滞留トナー量が、２、８、８、４であるものとする。なお滞留トナー量は、「Ａ４用紙１ページをベタ画像とする量の残留トナーの量」を１００％としたときの滞留トナーの割合を示し、単位は「％」である。
【０１７１】
図１６は、図１５（Ａ）のジョブをＮｏ．１〜３の各プリンタで実行した場合の各プリンタの残留トナー量の変化を示す図である。
【０１７２】
図１６（Ａ）に示されるように、図１５（Ａ）のジョブをＮｏ．１のプリンタでプリントすると、Ｎｏ．１のプリンタではＹＭＣＫそれぞれの滞留トナー量が、１３、３、０、８となる（Ｃでは−５となるが、マイナスの場合は０と計算される）。
【０１７３】
このとき、滞留トナーが最大となるのは、Ｎｏ．１のＹである（その量をＡ％（＝１３％）とする）。
【０１７４】
図１６（Ｂ）に示されるように、図１５（Ａ）のジョブをＮｏ．２のプリンタでプリントすると、Ｎｏ．２のプリンタではＹＭＣＫそれぞれの滞留トナー量が、１０、８、０、１１となる。
【０１７５】
このとき、滞留トナーが最大となるのは、Ｎｏ．２のＫである（その量をＢ％（＝１１％）とする）。
【０１７６】
図１６（Ｃ）に示されるように、図１５（Ａ）のジョブをＮｏ．３のプリンタでプリントすると、Ｎｏ．３のプリンタではＹＭＣＫそれぞれの滞留トナー量が、１２、１１、３、６となる。
【０１７７】
このとき、滞留トナーが最大となるのは、Ｎｏ．３のＹである（その量をＣ％（＝１２％）とする）。
【０１７８】
すべてのプリンタに対し、プリント後の最大滞留トナー量（Ａ％、Ｂ％、Ｃ％）が求められた後、最大滞留トナー量（Ａ％、Ｂ％、Ｃ%）が比較される。最大滞留トナー量が最も小さくなるプリンタに対して、ジョブのプリント指示が行なわれる。
【０１７９】
この場合、Ｎｏ．２でプリントすると、全体での最大値を最も抑えることができるため、Ｎｏ．２でジョブのプリントが行なわれる。
【０１８０】
なお、最大滞留トナー量が同じプリンタが複数ある場合は、それらの中から、最小滞留トナー量が最大となるプリンタを選択することが望ましい。
【０１８１】
［第６の実施の形態における効果］
以上のように第６の実施の形態によると、各色ごとの滞留トナー量に基づいて、ジョブを実行する画像形成装置が選択される。これにより、各画像形成装置の滞留トナーの排出頻度を低下させることができ、無駄なトナー消費が抑制される。
【０１８２】
［その他］
上述の実施の形態における処理は、ソフトウエアによって行なっても、ハードウエア回路を用いて行なってもよい。
【０１８３】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１８４】
さらに、上述の各実施の形態の処理を、組み合わせて行なうこととしてもよい。
【０１８５】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８６】
【図１】本発明の第１の実施の形態における画像形成装置の中央断面の概略を示す図である。
【図２】画像形成装置１の構成を示すブロック図である。
【図３】感光体３の周囲の構成を示す断面図である。
【図４】滞留トナー量が「０」の状態から複数のジョブをプリントした場合の滞留トナー量の推移を示す図である。
【図５】画像形成装置が管理するジョブ管理テーブルを示す図である。
【図６】画像形成装置が実行する１枚の画像のプリントを行なったときの滞留トナー量の算出処理を示すフローチャートである。
【図７】滞留トナーの排出処理を示すフローチャートである。
【図８】ジョブの順序入れ替え処理を示すフローチャートである。
【図９】第２の実施の形態における画像形成装置が実行する、ジョブの切れ目における滞留トナー排出の判定処理を示すフローチャートである。
【図１０】第３の実施の形態における画像形成装置が実行する、ジョブの切れ目における滞留トナー排出の判定処理を示すフローチャートである。
【図１１】画像安定化を実行した後にプリントジョブを実行した場合の滞留トナー量の推移を示す図である。
【図１２】第４の実施の形態における滞留トナー排出制御の処理を示すフローチャートである。
【図１３】画像形成装置が接続されるネットワークを示す図である。
【図１４】プリントサーバが実行するジョブの振分け処理を示すフローチャートである。
【図１５】あるジョブを実行することにより生じる滞留トナー量と、Ｎｏ．１〜Ｎｏ．３の各プリンタにおける現在の滞留トナー量を示す図である。
【図１６】図１５（Ａ）のジョブをＮｏ．１〜３の各プリンタで実行した場合の各プリンタの残留トナー量の変化を示す図である。
【符号の説明】
【０１８７】
１  フルカラー画像形成装置
２  中間転写ベルト
３ａ  感光体（イエロー）
３ｂ  感光体（マゼンダ）
３ｃ  感光体（シアン）
３ｄ  感光体（ブラック）
４ａ  現像部（イエロー）
４ｂ  現像部（マゼンダ）
４ｃ  現像部（シアン）
４ｄ  現像部（ブラック）
１１  ２次転写ローラ
１３  排紙ローラ
２３，２４  トナー補給モータ
２５ａ〜２５ｄ  トナーボトル（トナーカートリッジ）
２００  エンジン部
２０３  記憶媒体制御部
３０７  ＲＡＭ
【図１】
0004586885.tif 000002
【図２】
0004586885.tif 000003
【図３】
0004586885.tif 000004
【図４】
0004586885.tif 000005
【図５】
0004586885.tif 000006
【図６】
0004586885.tif 000007
【図７】
0004586885.tif 000008
【図８】
0004586885.tif 000009
【図９】
0004586885.tif 000010
【図１０】
0004586885.tif 000011
【図１１】
0004586885.tif 000012
【図１２】
0004586885.tif 000013
【図１３】
0004586885.tif 000014
【図１４】
0004586885.tif 000015
【図１５】
0004586885.tif 000016
【図１６】
0004586885.tif 000017